【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
システムであって、
マザーボード、ＢＭＣ（Ｂａｓｅｂｏａｒｄ  Ｍａｎａｇｅｍｅｎｔ  Ｃｏｎｔｒｏｌｌｅｒ）、ネットワーク信号を伝送するネットワークスイッチ、及びＰＣＩｅ信号を伝送するＰＣＩｅスイッチを含むファブリックスイッチと、
ミッドプレーンと、
複数の装置のポートと、を備え、
前記複数の装置のポートの各々は、前記ミッドプレーンを通じて前記ファブリックスイッチの前記マザーボードにストレージ装置を連結し、前記ミッドプレーンを通じて前記ネットワーク信号及び前記ＰＣＩｅ信号を搬送し、
前記ストレージ装置は、前記システムと前記ストレージ装置との間のファブリック連結を通じて設定されたプロトコルに基づいて多重モードに構成可能であり、
前記ストレージ装置は、ＮＶＭｅ（Ｎｏｎ−Ｖｏｌａｔｉｌｅ  Ｍｅｍｏｒｙ  ｅｘｐｒｅｓｓ）及びＮＶＭｅｏＦ（ＮＶＭｅ  ｏｖｅｒ  Ｆａｂｒｉｃｓ）プロトコルの両方を支援し、
前記ストレージ装置は、前記ストレージ装置の装置別情報及びセンサー情報をＰＣＩｅレーンを通じて前記ミッドプレーンを経て前記ＢＭＣに提供し、
前記装置別情報は、前記ストレージ装置のヘルス状態の情報及びＦＲＵ（Ｆｉｅｌｄ−Ｒｅｐｌａｃｅａｂｌｅ  Ｕｎｉｔ：フィールド交換可能ユニット）情報の中の少なくとも１つを含むことを特徴とするシステム。
【請求項２】
前記ストレージ装置は、前記複数の装置のポートのいずれか１つに前記ストレージ装置を連結するＵ．２コネクターを有することを特徴とする請求項１に記載のシステム。
【請求項３】
前記ミッドプレーンは、ＨＡ（Ｈｉｇｈ    Ａｖａｉｌａｂｉｌｉｔｙ）モード及びｎｏｎ−ＨＡモードの両方を支援することを特徴とする請求項１に記載のシステム。
【請求項４】
前記ネットワーク信号は、前記Ｕ．２コネクターの未使用ピンを通じて搬送されることを特徴とする請求項２に記載のシステム。
【請求項５】
前記ネットワーク信号は、ディスカバリー（ｄｉｓｃｏｖｅｒｙ）サービス又は前記ストレージ装置の新たなファームウェアに対するダウンロードサービスを提供することを特徴とする請求項４に記載のシステム。
【請求項６】
前記ストレージ装置は、ＨＡモード又はｎｏｎ−ＨＡモードで動作することを特徴とする請求項１に記載のシステム。
【請求項７】
ＮＶＭｅｏＦ（Ｎｏｎ−Ｖｏｌａｔｉｌｅ  Ｍｅｍｏｒｙ  ｅｘｐｒｅｓｓ  ｏｖｅｒ  Ｆａｂｒｉｃｓ）装置であって、
ＰＣＩｅモジュールと、
ネットワークエンジンと、
ミッドプレーンを通じてスイッチマザーボードに連結し、前記ミッドプレーンを通じてＰＣＩｅ信号を搬送するコネクターと、を備え、
前記ＰＣＩｅモジュールは、ＰＣＩｅバスを通じて前記スイッチに前記ＰＣＩｅ信号を伝送し、
前記ネットワークエンジンは、前記コネクターのＳＡＳ（Ｓｅｒｉａｌ  Ａｔｔａｃｈｅｄ  ＳＣＳＩ）ピンを通じて前記スイッチマザーボードにネットワーク信号を伝送し、
前記ＮＶＭｅｏＦ装置は、前記ＮＶＭｅｏＦ装置の装置別情報及びセンサー情報をＰＣＩｅレーンを介して前記ミッドプレーンを経てＢＭＣ（Ｂａｓｅｂｏａｒｄ  Ｍａｎａｇｅｍｅｎｔ  Ｃｏｎｔｒｏｌｌｅｒ）に提供し、前記装置別情報は、ヘルス状態の情報及びＦＲＵ（Ｆｉｅｌｄ−Ｒｅｐｌａｃｅａｂｌｅ  Ｕｎｉｔ）情報の中の少なくとも１つを含むことを特徴とするＮＶＭｅｏＦ装置。
【請求項８】
前記コネクターは、Ｕ．２コネクターであることを特徴とする請求項７に記載のＮＶＭｅｏＦ装置。
【請求項９】
前記ネットワーク信号は、ディスカバリーサービス又は前記ＮＶＭｅｏＦ装置の新たなファームウェアに対するダウンロードサービスを提供することを特徴とする請求項７に記載のＮＶＭｅｏＦ装置。
【請求項１０】
前記スイッチマザーボードは、第１イーサーネットポート及び第２イーサーネットポートを含む２つのスイッチマザーボードを含むことを特徴とする請求項７に記載のＮＶＭｅｏＦ装置。
【請求項１１】
前記ＳＡＳピンのＳ２、Ｓ３、Ｓ５、及びＳ６は、前記第１イーサー
ネットポートに対して使用され、
前記ＳＡＳピンのＳ９、Ｓ１０、Ｓ１２、及びＳ１３は、前記第２イーサーネットポートに対して使用されることを特徴とする請求項１０に記載のＮＶＭｅｏＦ装置。
【請求項１２】
前記ＮＶＭｅｏＦ装置は、ＨＡモード又はｎｏｎ−ＨＡモードで動作することを特徴とする請求項７に記載のＮＶＭｅｏＦ装置。
【請求項１３】
システムであって、
ＢＭＣ（Ｂａｓｅｂｏａｒｄ  Ｍａｎａｇｅｍｅｎｔ  Ｃｏｎｔｒｏｌｌｅｒ）を含むスイッチと、
複数のＮＶＭｅｏＦ（Ｎｏｎ−Ｖｏｌａｔｉｌｅ  Ｍｅｍｏｒｙ  ｅｘｐｒｅｓｓ  ｏｖｅｒ  Ｆａｂｒｉｃｓ）装置と、を備え、
前記複数のＮＶＭｅｏＦ装置の各々は、コネクターを使用して前記スイッチに連結され、
前記コネクターは、ＰＣＩｅバスを通じて前記スイッチにＰＣＩｅ信号を伝送し、ネットワークバスを通じて前記スイッチにネットワーク信号を伝送し、
前記複数のＮＶＭｅｏＦ装置の各々は、装置別情報及びセンサー情報を、前記ＢＭＣに提供し、
前記装置別情報は、ヘルス状態の情報及びＦＲＵ（Ｆｉｅｌｄ−Ｒｅｐｌａｃｅａｂｌｅ  Ｕｎｉｔ）情報の中の少なくとも１つを含むことを特徴とするシステム。
【請求項１４】
前記コネクターは、Ｕ．２コネクターであることを特徴とする請求項１３に記載のシステム。
【請求項１５】
前記ＰＣＩｅ信号は、前記ＰＣＩｅバスの２つのＰＣＩｅレーンを通じて伝送され、
前記ネットワーク信号は、前記ＰＣＩｅバスの残りの２つのＰＣＩｅレーンを通じて伝送されることを特徴とする請求項１３に記載のシステム。
【請求項１６】
前記ネットワーク信号は、ＳＡＳ（Ｓｅｒｉａｌ  Ａｔｔａｃｈｅｄ  ＳＣＳＩ）ピンを通じて伝送されることを特徴とする請求項１３に記載のシステム。
【請求項１７】
前記ネットワーク信号は、ディスカバリーサービス又は前記複数のＮＶＭｅｏＦ装置の各々の新しいファームウェアに対するダウンロードサービスを提供することを特徴とする請求項１３に記載のシステム。
【請求項１８】
前記複数のＮＶＭｅｏＦ装置の各々は、ＨＡ（Ｈｉｇｈ  Ａｖａｉｌａｂｉｌｉｔｙ）モード又はｎｏｎ−ＨＡモードで動作することを特徴とする請求項１３に記載のシステム。
【請求項１９】
システムであって、
マザーボード、ＢＭＣ（Ｂａｓｅｂｏａｒｄ  Ｍａｎａｇｅｍｅｎｔ  Ｃｏｎｔｒｏｌｌｅｒ）、第１のタイプの信号を伝送する第１のスイッチ及び第２のタイプの信号を伝送する第２のスイッチを含むスイッチ装置と、
ミッドプレーンと、
複数の装置のポートと、を備え、
前記複数の装置の各々は、前記スイッチ装置のマザーボードにストレージ装置を連結し、前記ミッドプレーンを介して前記第１のタイプの信号及び前記第２のタイプの信号を伝送し、
前記ストレージ装置は、前記システムと前記ストレージ装置との間の連結を通じて設定されたプロトコルに基づいて、多重モードに構成可能であり、
前記ストレージ装置が支援する前記プロトコルは、第１のプロトコル及び前記第１のプロトコルとは異なる第２のプロトコルを含むことを特徴とするシステム。
【請求項２０】
前記第１のスイッチは、ネットワークスイッチであり、
前記第２のスイッチは、ＰＣＩｅ（Ｐｅｒｉｐｈｅｒａｌ  Ｃｏｍｐｏｎｅｎｔ  Ｉｎｔｅｒｃｏｎｎｅｃｔ  ｅｘｐｒｅｓｓ）スイッチであり、
前記ストレージ装置は、前記ストレージ装置の装置別情報及びセンサー情報を前記ＰＣＩｅスイッチのＰＣＩｅレーンを通じて前記ミッドプレーンを経て前記ＢＭＣに提供し、
前記装置別情報は、ヘルス状態の情報及びＦＲＵ（Ｆｉｅｌｄ−Ｒｅｐｌａｃｅａｂｌｅ  Ｕｎｉｔ）情報の中の少なくとも１つを含むことを特徴とする請求項１９に記載のシステム。
【請求項２１】
前記第１のプロトコルは、ＮＶＭｅ（Ｎｏｎ−Ｖｏｌａｔｉｌｅ  Ｍｅｍｏｒｙ  ｅｘｐｒｅｓｓ）プロトコルであり、
前記第２のプロトコルは、ＮＶＭｅｏＦ（Ｎｏｎ−Ｖｏｌａｔｉｌｅ  Ｍｅｍｏｒｙ  ｅｘｐｒｅｓｓ  ｏｖｅｒ  Ｆａｂｒｉｃｓ）プロトコルであることを特徴とする請求項１９に記載のシステム。
【請求項２２】
前記ミッドプレーンは、ＨＡ（Ｈｉｇｈ  Ａｖａｉｌａｂｉｌｉｔｙ）モード及びｎｏｎ−ＨＡモードの両方を支援することを特徴とする請求項１９に記載のシステム。
【請求項２３】
前記ストレージ装置は、ＨＡモード又はｎｏｎ−ＨＡモードで動作することを特徴とする請求項２２に記載のシステム。
【請求項２４】
前記ストレージ装置は、前記複数の装置のポートのいずれか１つに前記ストレージ装置を連結するＵ．２コネクタを含むことを特徴とする請求項１９に記載のシステム。
【請求項２５】
前記第１のタイプの信号は、ディスカバリー（ｄｉｓｃｏｖｅｒｙ）サービス又は前記ストレージ装置の新しいファームウェアに対するダウンロードサービスを提供することを特徴とする請求項１９に記載のシステム。
【手続補正２】
【補正対象書類名】明細書
【補正対象項目名】０００７
【補正方法】変更
【補正の内容】
【０００７】
上記目的を達成するためになされた本発明によるシステムは、システムであって、マザーボード、ＢＭＣ（Ｂａｓｅｂｏａｒｄ  Ｍａｎａｇｅｍｅｎｔ  Ｃｏｎｔｒｏｌｌｅｒ）、ネットワーク信号を伝送するネットワークスイッチ、及びＰＣＩｅ信号を伝送するＰＣＩｅスイッチを含むファブリックスイッチと、ミッドプレーンと、複数の装置のポートと、を備え、前記複数の装置のポートの各々は、前記ミッドプレーンを通じて前記ファブリックスイッチの前記マザーボードにストレージ装置を連結し、前記ミッドプレーンを通じて前記ネットワーク信号及び前記ＰＣＩｅ信号を搬送し、前記ストレージ装置は、前記システムと前記ストレージ装置との間のファブリック連結を通じて設定されたプロトコルに基づいて多重モードに構成可能であり、前記ストレージ装置は、ＮＶＭｅ（Ｎｏｎ−Ｖｏｌａｔｉｌｅ  Ｍｅｍｏｒｙ  ｅｘｐｒｅｓｓ）及びＮＶＭｅｏＦ（ＮＶＭｅ  ｏｖｅｒ  Ｆａｂｒｉｃｓ）プロトコルの両方を支援し、前記ストレージ装置は、前記ストレージ装置の装置別情報及びセンサー情報をＰＣＩｅレーンを通じて前記ミッドプレーンを経て前記ＢＭＣに提供し、前記装置別情報は、前記ストレージ装置のヘルス状態の情報及びＦＲＵ（Ｆｉｅｌｄ−Ｒｅｐｌａｃｅａｂｌｅ  Ｕｎｉｔ：フィールド交換可能ユニット）情報の中の少なくとも１つを含むことを特徴とする。
【手続補正３】
【補正対象書類名】明細書
【補正対象項目名】０００８
【補正方法】変更
【補正の内容】
【０００８】
上記目的を達成するためになされた本発明によるＮＶＭｅｏＦ装置は、ＮＶＭｅｏＦ（Ｎｏｎ−Ｖｏｌａｔｉｌｅ  Ｍｅｍｏｒｙ  ｅｘｐｒｅｓｓ  ｏｖｅｒ  Ｆａｂｒｉｃｓ）装置であって、ＰＣＩｅモジュールと、ネットワークエンジンと、ミッドプレーンを通じてスイッチマザーボードに連結し、前記ミッドプレーンを通じてＰＣＩｅ信号を搬送するコネクターと、を備え、前記ＰＣＩｅモジュールは、ＰＣＩｅバスを通じて前記スイッチに前記ＰＣＩｅ信号を伝送し、前記ネットワークエンジンは、前記コネクターのＳＡＳ（Ｓｅｒｉａｌ  Ａｔｔａｃｈｅｄ  ＳＣＳＩ）ピンを通じて前記スイッチマザーボードにネットワーク信号を伝送し、前記ＮＶＭｅｏＦ装置は、前記ＮＶＭｅｏＦ装置の装置別情報及びセンサー情報をＰＣＩｅレーンを介して前記ミッドプレーンを経てＢＭＣ（Ｂａｓｅｂｏａｒｄ  Ｍａｎａｇｅｍｅｎｔ  Ｃｏｎｔｒｏｌｌｅｒ）に提供し、前記装置別情報は、ヘルス状態の情報及びＦＲＵ（Ｆｉｅｌｄ−Ｒｅｐｌａｃｅａｂｌｅ  Ｕｎｉｔ）情報の中の少なくとも１つを含むことを特徴とする。
【手続補正４】
【補正対象書類名】明細書
【補正対象項目名】０００９
【補正方法】変更
【補正の内容】
【０００９】
また、上記目的を達成するためになされた本発明によるシステムは、システムであって、ＢＭＣ（Ｂａｓｅｂｏａｒｄ  Ｍａｎａｇｅｍｅｎｔ  Ｃｏｎｔｒｏｌｌｅｒ）を含むスイッチと、複数のＮＶＭｅｏＦ（Ｎｏｎ−Ｖｏｌａｔｉｌｅ  Ｍｅｍｏｒｙ  ｅｘｐｒｅｓｓ  ｏｖｅｒ  Ｆａｂｒｉｃｓ）装置と、を備え、前記複数のＮＶＭｅｏＦ装置の各々は、コネクターを使用して前記スイッチに連結され、前記コネクターは、ＰＣＩｅバスを通じて前記スイッチにＰＣＩｅ信号を伝送し、ネットワークバスを通じて前記スイッチにネットワーク信号を伝送し、
前記複数のＮＶＭｅｏＦ装置の各々は、装置別情報及びセンサー情報を、前記ＢＭＣに提供し、前記装置別情報は、ヘルス状態の情報及びＦＲＵ（Ｆｉｅｌｄ−Ｒｅｐｌａｃｅａｂｌｅ  Ｕｎｉｔ）情報の中の少なくとも１つを含むことを特徴とする。
また、上記目的を達成するためになされた本発明によるシステムは、システムであって、マザーボード、ＢＭＣ（Ｂａｓｅｂｏａｒｄ  Ｍａｎａｇｅｍｅｎｔ  Ｃｏｎｔｒｏｌｌｅｒ）、第１のタイプの信号を伝送する第１のスイッチ及び第２のタイプの信号を伝送する第２のスイッチを含むスイッチ装置と、ミッドプレーンと、複数の装置のポートと、を備え、前記複数の装置の各々は、前記スイッチ装置のマザーボードにストレージ装置を連結し、前記ミッドプレーンを介して前記第１のタイプの信号及び前記第２のタイプの信号を伝送し、前記ストレージ装置は、前記システムと前記ストレージ装置との間の連結を通じて設定されたプロトコルに基づいて、多重モードに構成可能であり、前記ストレージ装置が支援する前記プロトコルは、第１のプロトコル及び前記第１のプロトコルとは異なる第２のプロトコルを含むことを特徴とする。